Podtech/llm-jp-corpus-v4-ja_patent huggingface dataset:
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
被測定者の血圧に関する情報を表示画面に表示する血圧関連情報表示装置であって、
前記被測定者のサージ血圧情報を取得する情報取得部と、
前記表示画面に、２４時間に対応する円状の時間軸を設定し、時計回りに前記２４時間における単位時間の経過を表す時間目盛を前記時間軸に設定し、前記時間軸の円弧の径方向外向きに延び、前記単位時間毎の前記サージ血圧情報に基づく値に応じた高さを有する棒グラフの集合を含む円状グラフとして、前記サージ血圧情報を表示する表示処理部と、を備え、
前記サージ血圧情報は、前記２４時間における前記被測定者の最高サージ血圧値を含み、
前記表示処理部は、前記最高サージ血圧値に対応する前記棒グラフを他の前記棒グラフと異なる色で表示する血圧関連情報表示装置。
【請求項２】
前記表示処理部は、前記棒グラフを前記径方向の複数の領域に区分し、前記複数の領域毎に異なる表示色とする、請求項１記載の血圧関連情報表示装置。
【請求項３】
前記情報取得部は、前記被測定者の心房細動発生情報を更に取得し、
前記表示処理部は、前記被測定者の心房細動が発生した時刻に対応する前記時間目盛にプロットを表示する、請求項１又は請求項２記載の血圧関連情報表示装置。
【請求項４】
前記被測定者の被測定部に装着する帯状体と、
前記帯状体を前記被測定部に装着した際に、少なくとも一部が前記被測定部と接触するように配置されたセンサ部と、
前記センサ部から前記被測定部へ印加する圧力を調整し、前記圧力に基づいて前記被測定者の最高血圧と最低血圧とを測定する血圧情報測定部と、
前記血圧情報測定部で測定された値を外部へ送信する通信部と、を更に備えた請求項１乃至請求項３のいずれか１項記載の血圧関連情報表示装置。
【請求項５】
被測定者の血圧に関する情報を表示画面に表示する方法であって、
被測定者のサージ血圧情報を取得し、前記サージ血圧情報は、２４時間における前記被測定者の最高サージ血圧値を含み、
前記表示画面に、前記２４時間に対応する円状の時間軸を設定し、時計回りに前記２４時間における単位時間の経過を表す時間目盛を前記時間軸に設定し、前記時間軸の円弧の径方向外向きに延び、前記単位時間毎の前記サージ血圧情報に基づく値に応じた高さを有する棒グラフの集合を含む円状グラフとし、前記最高サージ血圧値に対応する前記棒グラフを他の前記棒グラフと異なる色で表示する、前記サージ血圧情報を表示する、血圧関連情報表示方法。
【手続補正２】
【補正対象書類名】明細書
【補正対象項目名】０００８
【補正方法】変更
【補正の内容】
【０００８】
上記課題を解決するため、本発明の第１の態様は、被測定者の血圧に関する情報を表示画面に表示する血圧関連情報表示装置であって、前記被測定者のサージ血圧情報を取得する情報取得部と、前記表示画面に、２４時間に対応する円状の時間軸を設定し、時計回りに前記２４時間における単位時間の経過を表す時間目盛を前記時間軸に設定し、前記時間軸の円弧の径方向外向きに延び、前記単位時間毎の前記サージ血圧情報に基づく値に応じた高さを有する棒グラフの集合を含む円状グラフとして、前記サージ血圧情報を表示する表示処理部と、を備え、前記サージ血圧情報は、前記２４時間における前記被測定者の最高サージ血圧値を含み、前記表示処理部は、前記最高サージ血圧値に対応する前記棒グラフを他の前記棒グラフと異なる色で表示する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
本発明の第４の態様は、上記第１乃至第３の態様のいずれかにおいて、前記被測定者の被測定部に装着する帯状体と、前記帯状体を前記被測定部に装着した際に、少なくとも一部が前記被測定部と接触するように配置されたセンサ部と、前記センサ部から前記被測定部へ印加する圧力を調整し、前記被測定部に印加される圧力に基づいて前記被測定者の最高血圧と最低血圧とを測定する血圧情報測定部と、前記血圧情報測定部で測定された値を外部へ送信する通信部と、を更に備えたものである。
【手続補正５】
【補正対象書類名】明細書
【補正対象項目名】００１６
【補正方法】変更
【補正の内容】
【００１６】
本発明の第１の態様によれば、被測定者のサージ血圧値と、心房細動が発生した時刻（又は期間）とを関連付けて表示することにより、ユーザがサージ血圧と心房細動との相互関係を認識することが容易となり、被測定者の健康管理を行う際の負担を軽減することができ、被測定者の健康状態を改善することを支援することができる。
【手続補正６】
【補正対象書類名】明細書
【補正対象項目名】００１７
【補正方法】変更
【補正の内容】
【００１７】
本発明の第４の態様によれば、被測定者は血圧測定のために常に被測定部に装着された機器により、自身の健康状態を確認することが可能となり、被測定者の利便性を更に向上することができる。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
特定の被測定者から連続測定された血圧値の測定データとＳＰＯ２の測定データとを取得する情報取得部と、
前記情報取得部により取得した連続測定された血圧値の測定データから血圧変動の大きさと、その変動に要する期間とに対して設定される基準値以上である血圧サージを意味する血圧変動を検出する血圧変動検出部と、
前記血圧変動検出部が検出する前記基準値以上の血圧変動が発生した期間とその前後の期間における前記ＳＰＯ２の測定データとの関連性に基づいて睡眠時無呼吸症候群によって血圧変動が起こる可能性の高さを判定する関連性判定部と、
前記関連性判定部が判定した睡眠時無呼吸症候群によって血圧変動が起こる可能性の高さを示す情報を表示装置に表示させる表示制御部と、
を有する情報処理装置。
【請求項２】
前記表示制御部は、さらに、前記関連性判定部が判定した睡眠時無呼吸症候群によって血圧変動が起こる可能性の高さに応じた治療に関するアドバイスを表示装置に表示させる、
請求項１に記載の情報処理装置。
【請求項３】
過去の測定データとの比較が指示された場合、表示中の被測定者に関する過去の測定データを取得し、表示中の測定データと過去の測定データとの比較画面を生成する比較分析部を有し、
前記表示制御部は、過去の測定データとの比較の指示に応じて前記比較分析部が生成する比較画面を表示装置に表示させる、
請求項１に記載の情報処理装置。
【請求項４】
前記比較分析部は、表示中の測定データと過去の測定データとの比較に基づくコメントを作成し、
前記表示制御部は、さらに、前記比較分析部が作成したコメントを前記比較画面と共に表示装置に表示させる、
請求項３に記載の情報処理装置。
【請求項５】
さらに、前記情報取得部により取得したＳＰＯ２の測定データと前記血圧変動検出部が検出する基準値以上の血圧変動との相関関係を示す相関グラフを生成する相関情報生成部を有し、
前記表示制御部は、操作者の表示指示に応じて前記相関情報生成部が生成する相関グラフを前記表示装置に表示させる、
請求項１乃至４のいずれか１項に記載の情報処理装置。
【請求項６】
前記情報取得部は、ＰＴＴ方式、トノメトリ方式、光学方式、電波方式、または、超音波方式の何れかの方式の血圧センサによって連続測定された血圧データを取得する、
請求項１乃至５の何れか１項に記載の情報処理装置。
【請求項７】
コンピュータに、
特定の被測定者から連続測定された血圧値の測定データとＳＰＯ２の測定データとを取得する機能と、
前記取得した連続測定された血圧値の測定データから血圧変動の大きさと、その変動に要する期間とに対して設定される基準値以上である血圧サージを意味する血圧変動を検出する機能と、
前記検出する前記基準値以上の血圧変動が発生した期間とその前後の期間における前記ＳＰＯ２の測定データとの関連性に基づいて睡眠時無呼吸症候群によって血圧変動が起こる可能性の高さを判定する機能と、
前記判定した睡眠時無呼吸症候群によって血圧変動が起こる可能性の高さを示す情報を表示装置に表示させる機能と、
を実行させるための情報処理プログラム。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
特定の被測定者から連続測定された血圧データと血圧以外の複数要素の測定データとを取得する情報取得部と、
前記情報取得部により取得した連続測定された血圧データから基準値以上の血圧変動の危険度を検出する血圧変動検出部と、
前記血圧変動検出部が検出する基準値以上の血圧変動の時間帯を含む拡大期間における血圧データと前記拡大期間における血圧以外の少なくとも１つの要素の測定データとを時間軸で対応づけ、前記血圧変動検出部が検出する基準値以上の血圧変動の時間帯を前記危険度別に色分けして表示装置にグラフ表示させる表示制御部と、
を有する情報処理装置。
【請求項２】
さらに、前記情報取得部が取得する血圧以外の各要素の測定データと前記血圧変動検出部が検出する基準値以上の血圧変動との関連性を判定する関連性判定部を有し、
前記表示制御部は、前記拡大期間における血圧データに対応づけて、前記関連性判定部によって基準値以上の血圧変動との関連性が高いと判定された要素の測定データを表示装置に表示させる、
請求項１に記載の情報処理装置。
【請求項３】
前記表示制御部は、操作者による拡大期間に表示する要素の指示に応じて、前記拡大期間における血圧データに対応づけて表示する要素を操作者が指定する要素に更新する、
請求項２に記載の情報処理装置。
【請求項４】
前記表示制御部は、操作者による拡大期間の指示に応じて、前記表示装置に表示させる拡大期間を操作者が指示する拡大期間に更新する、
請求項１乃至３の何れか１項に記載の情報処理装置。
【請求項５】
さらに、特定の要素と基準値以上の血圧変動との相関関係を示す相関情報を生成する相関情報生成部を有し、
前記表示制御部は、操作者の表示指示に応じて前記相関情報生成部が生成する相関情報を前記表示装置に表示させる、
請求項１乃至４のいずれか１項に記載の情報処理装置。
【請求項６】
前記情報取得部は、ＰＴＴ方式、トノメトリ方式、光学方式、電波方式、または、超音波方式の何れかの方式の血圧センサによって連続測定された血圧データを取得する、
請求項１乃至５の何れか１項に記載の情報処理装置。
【請求項７】
コンピュータに、
特定の被測定者から連続測定された血圧データと血圧以外の複数要素の測定データとを取得する機能と、
前記取得した連続測定された血圧データから基準値以上の血圧変動の危険度を検出する機能と、
前記検出する基準値以上の血圧変動の時間帯を含む拡大期間における血圧データと前記拡大期間における血圧以外の少なくとも１つの要素の測定データとを時間軸で対応づけ、前記検出する基準値以上の血圧変動の時間帯を前記危険度別に色分けして表示装置にグラフ表示させる機能と、
を実行させるための情報処理プログラム。
【請求項８】
前記血圧変動検出部は、前記血圧データから基準値以上の複数の血圧変動を検出し、
前記表示制御部は、前記複数の血圧変動の時間帯を含む拡大期間における血圧データと前記拡大期間における血圧以外の少なくとも１つの要素の測定データとを時間軸で対応づけて表示装置にグラフ表示させる、請求項１に記載の情報処理装置。
【請求項９】
前記検出する機能は、前記血圧データから基準値以上の複数の血圧変動を検出する機能であり、
前記表示させる機能は、前記複数の血圧変動の時間帯を含む拡大期間における血圧データと前記拡大期間における血圧以外の少なくとも１つの要素の測定データとを時間軸で対応づけて表示装置にグラフ表示させる機能である、請求項７に記載の情報処理プログラム。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
血圧データを取得する血圧データ取得部と、
前記血圧データから、血圧特徴量が複数心拍分にわたって上昇する立ち上がり部分を含む血圧波形をサージ血圧候補として検出するサージ血圧候補検出部と、
前記サージ血圧候補の前記血圧波形の前記立ち上がり部分から一心拍以上の血圧波形を抽出する血圧波形抽出部と、
前記一心拍以上の血圧波形から分離した一心拍分の血圧波形の各々について、または、前記一心拍以上の血圧波形から分離した前記一心拍分の血圧波形を平均した平均血圧波形について、波形特徴量を算出する波形特徴量算出部と、
前記波形特徴量に基づいて、前記サージ血圧候補の前記血圧波形が所定の要因により発生したサージ血圧であるか否かを識別するサージ血圧識別部と、
を具備する血圧データ処理装置。
【請求項２】
前記波形特徴量は、複数種類の波形特徴量を含み、
前記サージ血圧識別部は、前記複数種類の波形特徴量と特徴空間上に設定された境界とに基づいて、前記サージ血圧候補の前記血圧波形が前記サージ血圧であるか否かを識別する請求項１に記載の血圧データ処理装置。
【請求項３】
前記サージ血圧候補の前記血圧波形は、前記立ち上がり部分の後に続く立ち下がり部分をさらに含む、請求項１または請求項２に記載の血圧データ処理装置。
【請求項４】
前記波形特徴量は、ダイアストリックピークの時刻からシストリックピークの時刻までの時間間隔、前記ダイアストリックピークの前記時刻からダイクロティックピークの時刻までの時間間隔、前記シストリックピークの時間幅、全パルス時間、前記シストリックピークの振幅、および前記ダイクロティックピークの振幅の少なくとも１つに基づいている、請求項１乃至請求項３のいずれか一項に記載の血圧データ処理装置。
【請求項５】
前記波形特徴量は、前記シストリックピークの前記時間幅と前記全パルス時間との比に基づく波形特徴量を含む、請求項４に記載の血圧データ処理装置。
【請求項６】
前記波形特徴量算出部は、前記一心拍以上の血圧波形に対して一次微分または二次微分を含む前処理を行い、前記前処理により得られる波形に基づいて前記ダイアストリックピーク、前記シストリックピーク、および前記ダイクロティックピークを特定する、請求項４または請求項５に記載の血圧データ処理装置。
【請求項７】
前記サージ血圧識別部により前記サージ血圧でないと識別された血圧波形を表示する表示部と、
前記表示された血圧波形が前記サージ血圧であるか否かを示す指示を受け付ける受付部と、
をさらに具備する請求項１乃至請求項６のいずれか一項に記載の血圧データ処理装置。
【請求項８】
前記サージ血圧識別部により前記サージ血圧でないと識別された血圧波形に含まれる一心拍以上の血圧波形に対してクラスタリングを行い、クラスを生成するクラスタリング部と、
前記クラスを代表する一心拍以上の血圧波形を含む情報を出力する出力部と、
をさらに具備する、請求項１乃至請求項７のいずれか一項に記載の血圧データ処理装置。
【請求項９】
血圧データを取得することと、
前記血圧データから、血圧特徴量が複数心拍分にわたって上昇する立ち上がり部分を含む血圧波形をサージ血圧候補として検出することと、
前記サージ血圧候補の前記血圧波形の前記立ち上がり部分から一心拍以上の血圧波形を抽出することと、
前記一心拍以上の血圧波形から分離した一心拍分の血圧波形の各々について、または、前記一心拍以上の血圧波形から分離した前記一心拍分の血圧波形を平均した平均血圧波形について、波形特徴量を算出することと、
前記波形特徴量に基づいて、前記サージ血圧候補の前記血圧波形が所定の要因により発生したサージ血圧であるか否かを識別することと、
を具備する血圧データ処理方法。
【請求項１０】
コンピュータを請求項１乃至請求項８のいずれか一項に記載の血圧データ処理装置として機能させるためのプログラム。
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
血圧データを取得する血圧データ取得部と、
前記血圧データからサージ血圧を検出するサージ血圧検出部と、
前記血圧データのうちの前記検出されたサージ血圧に対応する部分から一心拍以上の血圧波形を抽出する血圧波形抽出部と、
前記一心拍以上の血圧波形から分離した一心拍分の血圧波形の各々について、または、前記一心拍以上の血圧波形から分離した前記一心拍分の血圧波形を平均した平均血圧波形について、波形特徴量を算出する波形特徴量算出部と、
前記波形特徴量に基づいて、所定の要因の中から前記検出されたサージ血圧が発生した要因を識別する要因識別部と、
を具備する血圧データ処理装置。
【請求項２】
前記要因識別部は、前記所定の要因それぞれに対応する波形特徴量を学習することにより得られた学習結果を用いて、前記検出されたサージ血圧が発生した要因を識別する、請求項１に記載の血圧データ処理装置。
【請求項３】
前記波形特徴量は、複数種類の波形特徴量を含み、
前記要因識別部は、前記複数種類の波形特徴量と、前記所定の要因それぞれに関する境界であって特徴空間に設定された境界と、に基づいて、前記検出されたサージ血圧が発生した要因を識別する、請求項１または請求項２に記載の血圧データ処理装置。
【請求項４】
前記サージ血圧は、立ち上がり部分および前記立ち上がり部分の後に続く立ち下がり部分を含み、
前記血圧波形抽出部は、前記サージ血圧の前記立ち上がり部分から前記一心拍以上の血圧波形を抽出する、請求項１乃至請求項３のいずれか一項に記載の血圧データ処理装置。
【請求項５】
前記波形特徴量は、ダイアストリックピークの時刻からシストリックピークの時刻までの時間間隔、前記ダイアストリックピークの前記時刻からダイクロティックピークの時刻までの時間間隔、前記シストリックピークの時間幅、全パルス時間、前記シストリックピークの振幅、および前記ダイクロティックピークの振幅の少なくとも１つに基づいている、請求項１乃至請求項４のいずれか一項に記載の血圧データ処理装置。
【請求項６】
前記波形特徴量は、前記シストリックピークの前記時間幅と前記全パルス時間との比に基づく波形特徴量を含む、請求項５に記載の血圧データ処理装置。
【請求項７】
前記波形特徴量算出部は、前記一心拍以上の血圧波形に対して一次微分または二次微分を含む前処理を行い、前記前処理により得られる波形に基づいて前記ダイアストリックピーク、前記シストリックピーク、および前記ダイクロティックピークを特定する、請求項５または請求項６に記載の血圧データ処理装置。
【請求項８】
前記要因識別部により識別したサージ血圧の要因に関する情報を出力する出力部をさらに具備する請求項１乃至請求項７のいずれか一項に記載の血圧データ処理装置。
【請求項９】
血圧データを取得することと、
前記血圧データからサージ血圧を検出することと、
前記血圧データのうちの前記検出されたサージ血圧に対応する部分から一心拍以上の血圧波形を抽出することと、
前記一心拍以上の血圧波形から分離した一心拍分の血圧波形の各々について、または、前記一心拍以上の血圧波形から分離した前記一心拍分の血圧波形を平均した平均血圧波形について、波形特徴量を算出することと、
前記波形特徴量に基づいて、所定の要因の中から前記検出されたサージ血圧が発生した要因を識別することと、
を具備する血圧データ処理方法。
【請求項１０】
コンピュータを請求項１乃至請求項８のいずれか一項に記載の血圧データ処理装置として機能させるためのプログラム。
【手続補正２】
【補正対象書類名】図面
【補正対象項目名】図１
【補正方法】変更
【補正の内容】
【図１】
2018149186.tif 000001
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
連続的な血圧値の時系列データを取得する取得部と、
前記時系列データに時間軸に沿って移動された複数のピーク検出区間を設定し、当該複数のピーク検出区間の各々について収縮期血圧、拡張期血圧、脈圧のいずれかに基づく最大値を含む特徴量を算出する算出部と、
前記複数のピーク検出区間の各々について算出された前記特徴量に判定基準を適用することにより、前記ピーク検出区間ごとのピーク候補を抽出する抽出部と、
前記ピーク候補の最大値が得られる時点と同一時点において一定の数以上の前記ピーク候補に基づいて、第１ピークを特定する特定部と、
を具備する血圧データ処理装置。
【請求項２】
前記特徴量は、前記ピーク検出区間における前記最大値と、当該ピーク検出区間における当該最大値よりも前の時点の前記収縮期血圧、前記拡張期血圧、前記脈圧のいずれかの最小値との差を含む、請求項１に記載の血圧データ処理装置。
【請求項３】
前記特定部は、前記時系列データの波形形状、時間情報、周波数情報の少なくとも１つに基づく別の特徴量によって前記第１ピークの絞り込みを行う、請求項１または２に記載の血圧データ処理装置。
【請求項４】
前記別の特徴量は、血圧サージの上昇時間、下降時間、面積、相関係数を含む、請求項３に記載の血圧データ処理装置。
【請求項５】
前記時系列データとともに前記第１ピークを表示する表示部をさらに具備する、請求項１乃至４のいずれかに記載の血圧データ処理装置。
【請求項６】
前記第１ピークを含む探索範囲の前後少なくともいずれかの時点における前記時系列データの極大値を探索することにより、少なくとも１つの第２ピークを検出する探索部をさらに具備する、請求項１乃至４のいずれかに記載の血圧データ処理装置。
【請求項７】
前記時系列データとともに前記第１ピークおよび前記第２ピークを表示する表示部と、
前記第１ピークと前記第２ピークとを区別して表示するように前記表示部を制御する表示制御部とをさらに具備する、請求項６に記載の血圧データ処理装置。
【請求項８】
連続的な血圧値の時系列データを取得することと、
前記時系列データに時間軸に沿って移動された複数のピーク検出区間を設定し、当該複数のピーク検出区間の各々について収縮期血圧、拡張期血圧、脈圧のいずれかに基づく最大値を含む特徴量を算出することと、
前記複数のピーク検出区間の各々について算出された前記特徴量に判定基準を適用することにより、前記ピーク検出区間ごとのピーク候補を抽出することと、
前記ピーク候補の最大値が得られる時点と同一時点において一定の数以上の前記ピーク候補に基づいて、第１ピークを特定することと、
を具備する血圧データ処理方法。
【請求項９】
コンピュータを、請求項１乃至７のいずれか一項に記載の血圧データ処理装置として機能させるためのプログラム。
【手続補正２】
【補正対象書類名】明細書
【補正対象項目名】００５７
【補正方法】変更
【補正の内容】
【００５７】
図９に、ノイズ除去の一種であるスパイクノイズ除去の例を示す。血圧値の時系列データ１１にはスパイクノイズが含まれることがある。スパイクノイズ除去では、スパイクの高さｈｓが大きく、スパイク端点の差ｄｓが小さい血圧値を除去する。例えば、ｈｓ≧１３［ｍｍＨｇ］でかつｄｓ≦７［ｍｍＨｇ］を満たす血圧値を時系列データ１１から除去する。図９の左側の例において、白丸は除去対象の血圧値である１点スパイクノイズを示している。図９の右側の例において、白丸は除去対象の血圧値である２点スパイクノイズを示している。なお、図９に示したスパイクノイズの波形を上下反転したものをスパイクノイズとして除去対象としてもよい。血圧値が除去されたデータ点には、その前後のデータ点の血圧値に基づいて算出された補間値が与えられてもよい。
【手続補正書】
【提出日】令和2年3月12日(2020.3.12)
【手続補正１】
【補正対象書類名】明細書
【補正対象項目名】００１８
【補正方法】変更
【補正の内容】
【００１８】
【図１】第１の実施形態に係る血圧データ処理装置を例示するブロック図。
【図２】図１の血圧データ処理装置の動作を例示するフローチャート。
【図３】図１の体動ノイズ抑圧部の詳細を例示するブロック図。
【図４】図２のステップＳ４００の詳細を例示するフローチャート。
【図５】図３の血圧データ補間部によって行われる補間処理の説明図。
【図６】図３の血圧データ補間部によって行われる補間処理の説明図。
【図７】図１の呼吸周期推定部の詳細を例示するブロック図。
【図８】図２のステップＳ５００の詳細を例示するフローチャート。
【図９】図８のステップＳ５１０の詳細を例示するフローチャート。
【図１０】図７のピーク選択部によってピーク周波数が選択され得る解析範囲を例示する図。
【図１１】図７のピーク選択部の動作の説明図。
【図１２】図１の呼吸性変動抑圧部の詳細を例示するブロック図。
【図１３】図２のステップＳ６００の詳細を例示するフローチャート。
【図１４】図１２の周波数成分抑圧部の動作の説明図。
【図１５】第２の血圧データの波形（元波形）と、処理済み血圧データの波形（呼吸性変動抑圧後の波形）とを例示するグラフ。
【図１６】図１４とは異なる位置に呼吸周波数がある場合のパワースペクトルを例示する図。
【図１７】第２の血圧データの波形（元波形）と、処理済み血圧データの波形（呼吸性変動抑圧後の波形）とを例示するグラフ。
【図１８】第２の実施形態に係る血圧データ処理装置を例示するブロック図。
【図１９】図１８の血圧データ処理装置の動作を例示するフローチャート。
【図２０】図１８の呼吸性変動抽出部の詳細を例示するブロック図。
【図２１】図１９のステップＳ８００の詳細を例示するフローチャート。
【図２２】図２０の周波数成分抑圧部の動作の説明図。
【図２３】第２の血圧データの波形（元波形）と、呼吸性変動データの波形（呼吸性変動抽出後の波形）とを例示するグラフ。
【図２４】第３の実施形態に係る血圧データ処理装置を例示するブロック図。
【図２５】図２４の血圧データ処理装置の動作を例示するフローチャート。
【手続補正２】
【補正対象書類名】明細書
【補正対象項目名】０１２１
【補正方法】変更
【補正の内容】
【０１２１】
上記各実施形態の一部または全部は、特許請求の範囲のほか以下の付記に示すように記載することも可能であるが、これに限られない。  
（付記１）  
メモリと、
前記メモリに接続されたプロセッサと
を具備し、
前記プロセッサは、
（ａ）ユーザの第１の血圧データに含まれる前記ユーザの体動に関するノイズが抑圧された第２の血圧データの周波数領域表現である第１のスペクトルのパワースペクトルにおいてピークを示すピーク周波数の１つを選択し、
（ｂ）前記第１のスペクトルのうち選択されているピーク周波数の成分を抑圧し、第２のスペクトルを生成し、
（ｃ）前記第２の血圧データにおける第１の呼吸性変動を算出し、前記第２のスペクトルの時間領域表現である第３の血圧データにおける第２の呼吸性変動を算出し、
（ｄ）前記第１の呼吸性変動に対する前記第２の呼吸性変動の減衰量を算出し、
（ｅ）前記減衰量が第１の閾値よりも大きければ前記選択されているピーク周波数に対応する周期を前記ユーザの呼吸周期として決定する
ように構成される、血圧データ処理装置。
【手続補正３】
【補正対象書類名】図面
【補正対象項目名】図７
【補正方法】変更
【補正の内容】
【図７】
2018149197.tif 000001
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
所定の特典付与条件が成立したことに基づいて、遊技者に所定の特典を付与する遊技機であって、
表示態様が変化する所定の変化対象画像を表示させる表示手段と、
所定の操作部が操作されたことに基づいて、前記変化対象画像の表示態様を所定態様に変化させ、さらに前記操作部が操作されたことに基づいて、前記変化対象画像の表示態様を特別態様に変化させる変化手段と、
前記変化対象画像が前記特別態様に変化した場合に、該特別態様に変化しなかった場合よりも前記特典が付与される可能性が高いことを示唆する示唆手段と
を備え、
前記表示手段は、複数の前記変化対象画像を表示可能であり、
前記示唆手段は、前記複数の変化対象画像のうち、前記特別態様に変化した変化対象画像の数が増加するほど前記特典が付与される可能性が高いことを示唆しており、
前記変化手段は、前記変化対象画像が前記所定態様に変化した後は、前記所定態様に変化する前に比べて、前記操作部の操作に基づく前記変化対象画像の表示態様の変化を抑制する
ことを特徴とする遊技機。
【手続補正２】
【補正対象書類名】明細書
【補正対象項目名】０００６
【補正方法】変更
【補正の内容】
【０００６】
上述した課題の少なくとも一部を解決するために、本発明の遊技機では次の構成を採用した。すなわち、
所定の特典付与条件が成立したことに基づいて、遊技者に所定の特典を付与する遊技機であって、
表示態様が変化する所定の変化対象画像を表示させる表示手段と、
所定の操作部が操作されたことに基づいて、前記変化対象画像の表示態様を所定態様に変化させ、さらに前記操作部が操作されたことに基づいて、前記変化対象画像の表示態様を特別態様に変化させる変化手段と、
前記変化対象画像が前記特別態様に変化した場合に、該特別態様に変化しなかった場合よりも前記特典が付与される可能性が高いことを示唆する示唆手段と
を備え、
前記表示手段は、複数の前記変化対象画像を表示可能であり、
前記示唆手段は、前記複数の変化対象画像のうち、前記特別態様に変化した変化対象画像の数が増加するほど前記特典が付与される可能性が高いことを示唆しており、
前記変化手段は、前記変化対象画像が前記所定態様に変化した後は、前記所定態様に変化する前に比べて、前記操作部の操作に基づく前記変化対象画像の表示態様の変化を抑制する
ことを特徴とする遊技機。
【手続補正書】
【提出日】令和2年1月16日(2020.1.16)
【手続補正１】
【補正対象書類名】明細書
【補正対象項目名】００８３
【補正方法】変更
【補正の内容】
【００８３】
続いて、血圧計２０は、図６中のステップＳ１０，Ｓ１２の処理を実行した後、仰臥位状態から立位状態に移行するように被検者に報知する。具体的には、血圧計２０のプロセッサ２３０（報知部）は、仰臥位状態から立位状態への移行を促す情報をディスプレイ２６０に表示する。なお、血圧計２０にスピーカを搭載している場合、プロセッサ２３０は、当該スピーカを介して、当該情報を音声出力してもよい。
【手続補正２】
【補正対象書類名】明細書
【補正対象項目名】００８６
【補正方法】変更
【補正の内容】
【００８６】
（５）上述した実施の形態において、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、二次記憶装置、主記憶装置およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
複数のインク吐出口列を有する記録手段と、
前記複数のインク吐出口列それぞれに供給される複数のインクそれぞれを貯留する複数のインク貯留部と、
前記複数のインク吐出口列からインクおよび大気の少なくとも一方を排出させる排出手段と、
前記複数のインク貯留部それぞれにおいて、貯留されているインクの量が所定量を下回ったことを検知する検知手段と、
前記排出手段による排出動作を制御する制御手段と、
を備えるインクジェット記録装置であって、
前記複数のインク貯留部それぞれの、貯留されているインクの量が前記所定量を下回ったことを前記検知手段が検知したタイミングに基づいて、前記排出動作の動作条件を決定する決定手段を備え、
前記制御手段は、前記複数のインク貯留部の少なくとも２つにおいて貯留されているインクの量が前記所定量を下回ったことを前記検知手段が検知した後、前記動作条件に基づき前記排出手段による排出動作を行わせることを特徴とするインクジェット記録装置。
【請求項２】
前記複数のインク貯留部のうち少なくとも１つのインク貯留部は、前記複数のインク吐出口列のうちの少なくとも２つに連通していることを特徴とする請求項１に記載のインクジェット記録装置。
【請求項３】
前記排出手段による排出動作の履歴を記憶する記憶手段を更に備え、
前記決定手段は、前記複数のインク貯留部それぞれの、貯留されているインクの量が前記所定量を下回ったことを前記検知手段が検知したタイミングにおける前記履歴に基づいて、前記排出動作の動作条件を決定することを特徴とする請求項１に記載のインクジェット記録装置。
【請求項４】
前記履歴は、前記排出手段による所定時間の排出動作を行った回数、もしくは、前記記憶手段による所定の強度の排出動作を行った時間の長さ、のいずれかであることを特徴とする請求項３に記載のインクジェット記録装置。
【請求項５】
前記動作条件は、前記複数のインク貯留部において、貯留されているインクの量が前記所定量を下回ったことを最初に検知した第１のタイミングにおける履歴と、貯留されているインクの量が前記所定量を下回ったことを最後に検知した第２のタイミングにおける履歴との差が大きいほど、前記複数のインク貯留部の少なくとも２つにおいて貯留されているインクの量が前記所定量を下回ったことを前記検知手段が検知した後に行われる前記排出手段による排出動作の強度を高めるように決定されることを特徴とする請求項３または４に記載のインクジェット記録装置。
【請求項６】
前記動作条件は、前記複数のインク貯留部において、貯留されているインクの量が前記所定量を下回ったことを最後に検知した第１のタイミングにおける履歴と、貯留されているインクの量が前記所定量を下回ったことを検知した最後から２番目の第２のタイミングにおける履歴との差が大きいほど、前記複数のインク貯留部の少なくとも２つにおいて貯留されているインクの量が前記所定量を下回ったことを前記検知手段が検知した後に行われる前記排出手段による排出動作の強度を高めるように決定されることを特徴とする請求項３または４に記載のインクジェット記録装置。
【請求項７】
前記排出動作は、前記複数のインク吐出口列のうちの少なくとも２列のインク吐出口列に対して同時に行われ、
前記排出動作が同時に行われる少なくとも２列のインク吐出口列はそれぞれ異なるインク貯留部に連通している
ことを特徴とする請求項３乃至６のいずれか一項に記載のインクジェット記録装置。
【請求項８】
同時に排出動作が行われるＬ（Ｌ≧３）のインク吐出口列において、
前記Ｌのインク吐出口列のうちのＭ（Ｌ＞Ｍ≧２）のインク吐出口列が第１のインク貯留部に連通され、
前記Ｌのインクのうちの（Ｌ−Ｍ）のインク吐出口列が第２のインク貯留部に連通され、
前記検知手段が前記第１のインク貯留部に貯留されているインクの量が前記所定量を下回ったことを最後に検知した場合に決定される動作条件が示す強度は、前記検知手段が前記第２のインク貯留部に貯留されているインクの量が前記所定量を下回ったことを最後に検知した場合に決定される動作条件が示す強度のＭ／（Ｌ−Ｍ）倍よりも大きくなるように定義されることを特徴とする請求項１または２に記載のインクジェット記録装置。
【請求項９】
前記排出手段による排出動作の強度は、前記排出動作を行う時間を長くする、もしくは、前記排出動作を行う回数を増やす、のいずれかにより高めることを特徴とする請求項５、６、および８のいずれか一項に記載のインクジェット記録装置。
【請求項１０】
前記排出手段は、前記複数のインク吐出口列に対するキャップと、吸引ポンプと、ポンプチューブとを含んで構成されることを特徴とする請求項１乃至９のいずれか一項に記載のインクジェット記録装置。
【請求項１１】
複数のインク吐出口列を有する記録手段と、
前記複数のインク吐出口列それぞれに供給される複数のインクそれぞれを貯留する複数のインク貯留部と、
前記複数のインク吐出口列からインクおよび大気の少なくとも一方を排出させる排出手段と、
前記複数のインク貯留部それぞれにおいて、貯留されているインクの量が所定量を下回ったことを検知する検知手段と、
を備えるインクジェット記録装置におけるインク排出方法であって、
前記排出手段による排出動作を開始する工程と、
前記複数のインク貯留部それぞれの、貯留されているインクの量が前記所定量を下回ったことを前記検知手段が検知したタイミングに基づいて、前記排出動作の動作条件を決定する工程と
前記複数のインク貯留部の少なくとも２つにおいて貯留されているインクの量が前記所定量を下回ったことを前記検知手段が検知した後、前記動作条件に基づき前記排出手段による排出動作を行わせる工程と
を有することを特徴とするインク排出方法。
【手続補正書】
【提出日】令和2年2月18日(2020.2.18)
【手続補正１】
【補正対象書類名】特許請求の範囲
【補正対象項目名】請求項５
【補正方法】変更
【補正の内容】
【請求項５】
請求項２に記載の液吸収装置であって、
前記制御手段は、定速度で前記液吸収部材を移動させる一方、前記非転写部が前記液吸収位置を通過している間である第一の期間に前記液吸収部材の加速または減速の一方を実行し、前記第一の期間の後の、前記非転写部が前記液吸収位置を通過している間である第二の期間に前記液吸収部材の加速または減速の他方を実行する、
ことを特徴とする液吸収装置。
【手続補正２】
【補正対象書類名】明細書
【補正対象項目名】００７２
【補正方法】変更
【補正の内容】
【００７２】
液吸収部材５０は、単層で構成されてもよいが、複数層で構成されてもよい。ここでは表層と裏層との二層構造を例示する。表層はインク像ＩＭに接する面５０ａを構成し、裏層は反対面５０ｂを構成する。転写体２上のインク像ＩＭは液吸収部材５０により液体成分が吸収される。インク像ＩＭの液体成分は表層から液吸収部材５０に浸透し、更に、裏層へ浸透する。インク像ＩＭは、液体成分が減少したインク像ＩＭ’とされて加熱ユニット５Ｃへ向かうことになる。
【手続補正３】
【補正対象書類名】明細書
【補正対象項目名】００７５
【補正方法】変更
【補正の内容】
【００７５】
親水性材料の場合、毛管力により液体を吸い上げる効果がある。親水性材料としては、セルロース、ポリアクリルアミドや、これらの複合材料を挙げることができる。撥水性材料を用いた場合、その表面に親水化処理を施してもよい。親水化処理としてはスパッタエッチング法等の方法を挙げることができる。
【手続補正４】
【補正対象書類名】明細書
【補正対象項目名】００９２
【補正方法】変更
【補正の内容】
【００９２】
＜連結部位の位置制御＞
連結部位５０ｃがインク像ＩＭと接触することを回避するため、本実施形態では、非転写部ＮＲ１〜ＮＲ４が液吸収位置ＮＰを通過している間に、連結部位５０ｃも液吸収位置ＮＰを通過するようにモータＭの駆動を制御する。モータＭはセンサＳＲ１の検知結果に基づき、転写制御部１５Ｂにより制御される。転写制御部１５Ｂが、検知ユニット５２およびセンサＳＲ２の検知結果に基づいて、液吸収位置ＮＰにおける連結部位５０ｃの通過タイミングをいずれかの非転写部ＮＲ１〜ＮＲ４の通過タイミングに同期するように液吸収部材５０の走行速度を増減する。これにより、連結部位５０ｃがインク像ＩＭと接触することを回避することができる。但し、転写体２の表面の周速度と液吸収部材５０の走行速度との速度差が大きく異なると、液吸収部材５０がインク像ＩＭの色材を擦る可能性がある。
【手続補正５】
【補正対象書類名】明細書
【補正対象項目名】００９３
【補正方法】変更
【補正の内容】
【００９３】
そこで、以下の手法により液吸収部材５０がインク像ＩＭの色材を擦ることを低減する。本実施形態では転写胴４１を定速度で回転することを想定する。つまり、転写体２の表面の周速度は一定である。液吸収部材５０の走行速度は、基本的に転写体２の表面の周速度と等速に制御する。この前提において、連結部位５０ｃとインク像ＩＭとの接触の回避は、構造的なアプローチと制御的なアプローチを併用する。構造的なアプローチから説明する。
【手続補正６】
【補正対象書類名】明細書
【補正対象項目名】０１０５
【補正方法】変更
【補正の内容】
【０１０５】
＜他の速度補正例＞
図１１、図１４〜図１５の例では、一つの非転写部が液吸収位置ＮＰを通過している間に、液吸収部材５０の加減速を行い元の定速度Ｖ０に戻すことにした。構造上、非転写部が液吸収位置ＮＰを通過している時間が短い場合、基準位置ＳＴＰに対する連結部位５０ｃの相対位置調整量は限られる。そこで、一つの非転写部が液吸収位置ＮＰを通過している間に、液吸収部材５０の加減速のうちの一方を実行し、その後に同じまたは別の非転写部が液吸収位置ＮＰを通過している間に、液吸収部材５０の加減速のうちの他方を実行してもよい。この場合、液吸収部材５０とインク像ＩＭとが接触中に、転写体２の表面の周速度と液吸収部材５０の走行速度との速度差が生じるが、これを小さく抑えることで、液吸収部材５０がインク像ＩＭの色材を擦ることを低減することができる。
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
遊技盤の前側に形成された遊技領域に向けて遊技球を発射することによって遊技を行う遊技機において、
前記遊技盤との間に遊技球が通過可能な間隔を空けて設けられ、前記遊技領域の中の所定の特定領域へ遊技球が進入する経路の前側に位置する前板と、
前記前板に接近して前記経路の下側を構成した前進状態と、前記前板から離隔して前記経路の下側を開放した後退状態とを切り換えることが可能な可動板と
を備え、
前記前板には、一部分を欠いた欠落部が前記可動板に臨む位置に設けられており、
前記前板は、前記可動板が該前板に向けて前進する過程で該可動板の前端面に接する遊技球を、前記欠落部に退避させることが可能に設けられている
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技盤の前側に形成された遊技領域に向けて遊技球を発射することによって遊技を行う遊技機において、
前記遊技盤との間に遊技球が通過可能な間隔を空けて設けられ、前記遊技領域の中の所定の特定領域へ遊技球が進入する経路の前側に位置する前板と、
前記前板に接近して前記経路の下側を構成した前進状態と、前記前板から離隔して前記経路の下側を開放した後退状態とを切り換えることが可能な可動板と
を備え、
前記前板には、一部分を欠いた欠落部が前記可動板に臨む位置に設けられており、
前記前板は、前記可動板が該前板に向けて前進する過程で該可動板の前端面に接する遊技球を、前記欠落部に退避させることが可能に設けられている
ことを特徴とする。
【誤訳訂正書】
【提出日】令和2年4月16日(2020.4.16)
【誤訳訂正１】
【訂正対象書類名】特許請求の範囲
【訂正対象項目名】全文
【訂正方法】変更
【訂正の内容】
【特許請求の範囲】
【請求項１】
除細動システムであって、
除細動器と、
前記除細動器によって治療を受けた患者の映像データを取得するように構成される複数のカメラと、
前記患者と関連する患者監視データを収集するように構成される１又は複数のセンサと、
前記除細動器と救急対応センターとの間における通信チャンネルを形成するように構成される通信ユニットと、
映像データ及び／又は患者監視データを表示する表示器と、
前記映像データ及び前記患者と関連する患者監視データのうち少なくとも１つを救急対応センターに伝送させるように構成される処理ユニットと
を含み、
前記処理ユニットは更に、
各々の画像が救急シーンの異なるビューに対応する複数の選択可能な画像を応答者に表示し、前記複数の選択可能な画像の一つの選択により、選択された前記画像に関連するカメラからの映像データを前記救急対応センターに伝送し、その後に、
前記通信チャンネルの利用可能なバンド幅とバンド幅の閾値とを比較し、
前記利用可能なバンド幅が前記バンド幅の閾値未満となる場合、前記患者の映像データの伝送を中止し、前記患者と関連する前記患者監視データのみを伝送させる、
除細動システム。
【請求項２】
除細動システムであって、
除細動器と、
前記除細動器によって治療を受けた患者の映像データを取得するように構成される複数のカメラと、
前記患者と関連する患者監視データを収集するように構成される１又は複数のセンサと、
前記除細動器と救急対応センターとの間における通信チャンネルを形成するように構成される通信ユニットと、
映像データ及び／又は患者監視データを表示する表示器と、
前記映像データ及び前記患者と関連する患者監視データのうち少なくとも１つを救急対応センターに伝送させるように構成される処理ユニットと
を含み、
前記処理ユニットは更に、
救急シーンの異なるビューに対応する複数の映像データおよび複数の患者監視データのうち前記救急対応センターで応答者に選択された前記映像データ及び前記患者監視データを前記救急対応センターに伝送させ、その後に、
前記通信チャンネルの利用可能なバンド幅とバンド幅の閾値とを比較し、
前記利用可能なバンド幅が前記バンド幅の閾値未満となる場合、前記患者の映像データの伝送を中止し、前記患者と関連する前記患者監視データのみを伝送させる
除細動システム。
【請求項３】
前記応答者は、前記救急対応センターの遠隔のユーザである、
請求項１又は２に記載の除細動システム。
【請求項４】
前記応答者は、救急シーンで前記患者とともにいる介護者である、
請求項１又は２に記載の除細動システム。
【請求項５】
前記患者監視データの前記複数のタイプは、心電図信号、酸素飽和度（ＳｐＯ２）レベル、血圧、心拍出量、及び、１又は複数の圧迫パラメータ、の少なくとも一つを含む、
請求項４に記載の除細動システム。
【請求項６】
前記１又は複数の圧迫パラメータは、胸骨動信号、圧迫比、及び、圧迫深さの少なくとも１つを含む、
請求項５に記載の除細動システム。
【請求項７】
前記処理ユニットは、前記通信チャンネルの前記利用可能なバンド幅を決定するように構成される、
請求項１から６のいずれか１項に記載の除細動システム。
【請求項８】
前記処理ユニットは、前記映像データの送信の間、前記利用可能なバンド幅を監視し、前記利用可能なバンド幅の変化に応じてフレームレートを調節するように構成される、
請求項１から７のいずれか１項に記載の除細動システム。
【請求項９】
前記処理ユニットは、送信の間に前記利用可能なバンド幅が、前記バンド幅の閾値未満に減少したことに応じて、前記映像データの送信を中止させる、
請求項８に記載の除細動システム。
【請求項１０】
前記処理ユニットは、送信の間に前記利用可能なバンド幅が、前記バンド幅の閾値よりも高く上昇したことに応じて、前記映像データの送信を再開させる、
請求項９に記載の除細動システム。
【請求項１１】
更に、音声信号を受け取るように構成された音声ユニットを含み、前記処理ユニットは更に前記利用可能なバンド幅に基づいて前記音声信号を伝送させるように構成される、
請求項１から１０のいずれか１項に記載の除細動システム。
【請求項１２】
前記通信チャンネルは、無線通信チャンネルである、
請求項１から１１のいずれか１項に記載の除細動システム。
【請求項１３】
前記バンド幅の閾値は、７５０ｋｂｐｓ、１Ｍｂｐｓ、または１．５Ｍｂｐｓの少なくとも一つである、
請求項１から１２のいずれか１項に記載の除細動システム。
【請求項１４】
前記除細動器は、自動体外式除細動器（ＡＥＤ）である、
請求項１から１３のいずれか１項に記載の除細動システム。
【請求項１５】
前記除細動器は、患者モニタである、
請求項１から１３のいずれか１項に記載の除細動システム。
【請求項１６】
前記複数のカメラは、複数の場所からの映像データを捕捉して、前記救急シーンの異なるビューを提供する、
請求項１から１５のいずれか１項に記載の除細動システム。
【請求項１７】
前記異なるビューは、
前記応答者に着用されたヘッドピースに取り付けられたカメラからのビュー、
前記応答者のウエアラブルなアイテムに取り付けられたカメラからのビュー、
前記除細動器に取り付けられたカメラからのビュー、
前記除細動器の１又は複数の電極パッドに結合されたカメラからのビュー、及び、
携帯手持ち装置からのビュー、
の少なくとも２つのビューを含む、
請求項１から１６のいずれか１項に記載の除細動システム。
【請求項１８】
前記映像データは、救急シーンからの音声を含み、当該音声は、前記複数のカメラに結合された１又は複数のマイクにより捕捉される、
請求項１から１７のいずれか１項に記載の除細動システム。
【誤訳訂正２】
【訂正対象書類名】明細書
【訂正対象項目名】００４３
【訂正方法】変更
【訂正の内容】
【００４３】
患者は援助（例えば、患者が一見心停止を患っているように見える場合）を需要する場合、介護者はＡＥＤを初期化する（ステップ５００）。ＡＥＤに設けられた、１つ以上のカメラも初期化される（ステップ５０２）。いくつかの実施例において、カメラはＡＥＤの初期化によって自動的に初期化される。他の実施例において、例えば、介護者はカメラの電源を入れ、カメラが取り付けられたヘッドピースをかぶる場合、１つ以上のカメラは手動的に初期化される。カメラは患者の映像画像を取得するように所定位置に設置される。いくつかの実施形態において、（例えば、上記に記載されるように）救急対応センターの応答者によって事前に選択された、１つ以上のカメラは初期化される。
【手続補正書】
【提出日】令和1年12月24日(2019.12.24)
【手続補正１】
【補正対象書類名】明細書
【補正対象項目名】００３６
【補正方法】変更
【補正の内容】
【００３６】
流入端面１１において、隔壁１が交差する交点７が傾斜面を有する場合、その傾斜角については特に制限はない。例えば、図７に示すような「交点７の傾斜面の傾斜角θ１」は、０〜６０°であることが好ましく、４５〜６０°であることが更に好ましい。このように構成することによって、交点７への粒子状物質の堆積をより有効に抑制することができる。なお、「交点７の傾斜面の傾斜角θ１」は、セル２の延びる方向に直交する面と平行な面を０°とした場合における、傾斜面の傾斜角θ１のことである。
【手続補正２】
【補正対象書類名】明細書
【補正対象項目名】００４３
【補正方法】変更
【補正の内容】
【００４３】
図９に示すように、流入端面１１におけるセル２の形状が六角形である場合は、流入端面１１における隔壁１が交差する交点７の総個数に対する、第一交点７ａとなる交点の個数の比の百分率が、２５〜５０％であることが好ましい。このように構成することによって、圧損の上昇より有効に抑制することができる。ここで、図９は、本発明のハニカム構造体の更に他の実施形態の流入端面を模式的に示す平面図であって、当該流入端面の一部を拡大した拡大平面図である。セル２の形状が六角形である場合、第一交点７ａとなる交点の個数の比の百分率が５０％ということは、ハニカム構造部４の流入端面１１の全域に、第一交点７ａと第二交点７ｂによって構成された凹凸部８を有することとなる。セル２の形状が六角形である場合、第一交点の比率は、４０〜５０％であることが更に好ましい。
【手続補正３】
【補正対象書類名】明細書
【補正対象項目名】００７１
【補正方法】変更
【補正の内容】
【００７１】
ハニカム構造体の一方の端面において、凹凸部は、この一方の端面全域に亘って存在していた。凹凸部の底部となる一の交点を第一交点とし、凹凸部の頂部となる他の交点を第二交点とした場合に、交点の総個数に対する、第一交点となる交点の個数の比の百分率は、２５％であった。表１の「第一交点の比率（％）」の欄に、上記した第一交点となる交点の個数の比の百分率の値を示す。また、凹凸部は、第一交点と第二交点との高低差が、１．０ｍｍであった。結果を、表１に示す。
【手続補正４】
【補正対象書類名】明細書
【補正対象項目名】００８０
【補正方法】変更
【補正の内容】
【００８０】
実施例２〜１４、及び比較例１〜４のハニカム構造体についても、実施例１と同様の方法で、酸化触媒を担持し、上記した方法で、「圧損評価」を行った。結果を、表１に示す。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
飲料が入った瓶を加熱して飲料を殺菌する瓶入り飲料殺菌装置において、
飲料が入った複数の前記瓶を収容した箱を入れることが可能な瓶燗槽と、
前記瓶燗槽内に飲料の加熱殺菌に適した温度の湯を生成する湯生成部と、
前記瓶燗槽内に生成された湯を該瓶燗槽から排出する排出部と、
前記瓶燗槽内の前記瓶に冷却用の水を供給する水供給部と、
ポンプと、
前記湯生成部、前記排出部、前記水供給部及び前記ポンプを制御する制御部と、
前記瓶燗槽内に連通するとともに、前記ポンプの吸入側に接続される吸込配管と、
前記ポンプの吐出側に接続され、前記瓶燗槽内における前記吸込配管の連通部位から離れた部位に湯を供給する供給配管と、
貯湯タンクと、
前記貯湯タンクに接続され、前記瓶燗槽内に連通する再利用配管と、
前記再利用配管を開閉する第１電動弁とを備え、
前記排出部は、前記ポンプの吐出側に接続され、前記貯湯タンクに連通するタンク接続配管と、前記タンク接続配管を開閉する第２電動弁とを有し、
前記第１電動弁及び前記第２電動弁は前記制御部により制御され、
前記水供給部は、飲料が入った瓶の上方に配置される水噴出管を有し、
前記制御部は、前記第１電動弁を閉状態にして前記第２電動弁を開状態にし、前記ポンプを作動させて前記瓶燗槽内の湯を前記貯湯タンクへ排出して貯湯した後、前記第１電動弁を開状態にして前記第２電動弁を閉状態にし、前記貯湯タンクの湯を前記瓶燗槽に流入させて前記湯生成部により前記瓶燗槽内の飲料の加熱殺菌に適した温度の湯を生成して設定時間保温した後、前記排出部により前記瓶燗槽内の湯を排出させ、前記排出部により前記瓶燗槽内の湯が全て排出される前に、前記瓶燗槽内の前記瓶を冷却するための冷却用の水を前記水噴出管から下方へ噴出させるように構成されていることを特徴とする瓶入り飲料殺菌装置。
【請求項２】
請求項１に記載の瓶入り飲料殺菌装置において、
前記貯湯タンクは、該貯湯タンクの下部が前記瓶燗槽の上部よりも上に位置するように設けられていることを特徴とする瓶入り飲料殺菌装置。
【請求項３】
請求項１または２に記載の瓶入り飲料殺菌装置において、
前記瓶燗槽は上方が開放されており、
前記瓶入り飲料殺菌装置は、前記瓶燗槽を上方から覆うカバー部材と、該カバー部材を昇降させる昇降機とを備えていることを特徴とする瓶入り飲料殺菌装置。